(57)【要約】【課題】  簡単な構造の低圧時大容量のフロート式スチームトラップを提供する。【解決手段】  入口４，２４に接続した復水溜り室３，２３に開口する弁口１１，３１を出口５，２５に連通した出口通路１２，３２に連結し、復水溜り室３，２３にフロート１３，３３を当該室３，２３内で浮上降下して弁口１１，３１を開閉するように収容したフロート式スチームトラップＡ，Ｂにおいて、当該フロート式スチームトラップＡ，Ｂを並列に配置し、フロート式スチームトラップＡの弁口１１は対応するフロート１３が全使用圧力範囲に渡って開弁できる大きさに形成し、フロート式スチームトラップＢの弁口３１は対応するフロート３３が所定の低い圧力範囲でのみ開弁できる大きさに形成し、それぞれのフロート１３，３３を密閉フロートで形成する。【選択図】      図１
2007218331.tif 000002
【特許請求の範囲】
【請求項１】
入口に接続した復水溜り室に開口する弁口を出口に連通した出口通路に連結し、復水溜り室にフロートを当該室内で浮上降下して弁口を開閉するように収容したフロート式スチームトラップにおいて、当該フロート式スチームトラップを並列に複数台配置し、少なくとも１つのフロート式スチームトラップの弁口は対応するフロートが全使用圧力範囲に渡って開弁できる大きさに形成し、他のフロート式スチームトラップの弁口は対応するフロートが所定の低い圧力範囲でのみ開弁できる大きさに形成し、それぞれのフロートを密閉フロートで形成したことを特徴とするフロート式スチームトラップ。
【発明の詳細な説明】
【技術分野】
【０００１】
本発明は、フロートの浮上、降下により弁口を開閉するフロート式スチームトラップに関し、特に低圧時に多量の復水を排出できるものに関する。
【背景技術】
【０００２】
フロート式スチームトラップは、蒸気使用機器や蒸気配管に取り付けられて復水を排出する自動弁であるが、蒸気の使用開始時には機器や配管が冷えているために多量の復水が発生し、使用状態が定常状態に入ると復水の発生量が著しく減少するのが一般的な使用方法である。そこで、従来は特開平１−１３１３９７に示された低圧時大容量フロート式スチームトラップが用いられていた。これは、入口に接続した復水溜り室に開口する複数の弁口を出口に連通した同一の出口通路に連結し、復水溜り室に複数のフロートを当該室内で浮上降下してそれぞれの弁口を開閉するように収容し、少なくとも１つの弁口は対応するフロートが全使用圧力範囲に渡って開弁できる大きさに形成し、他の弁口は対応するフロートが所定の低い圧力範囲でのみ開弁できる大きさに形成し、複数のフロートとして密閉フロートと開放バケットフロートを用いたものである。
【０００３】
上記従来のフロート式スチームトラップは、開放バケットフロートを用いたものであるので、開放バケットフロート内に流体を導入するための導入管や降下した開放バケットフロートを所定の姿勢で保持するための発射台等を必要とし、構造が複雑であるという問題点があった。
【特許文献１】特開平６−２４１３９６号公報
【発明の開示】
【発明が解決しようとする課題】
【０００４】
解決しようとする課題は、簡単な構造の低圧時大容量のフロート式スチームトラップを提供することである。
【課題を解決するための手段】
【０００５】
上記の課題を解決するために講じた本発明の手段は、入口に接続した復水溜り室に開口する弁口を出口に連通した出口通路に連結し、復水溜り室にフロートを当該室内で浮上降下して弁口を開閉するように収容したフロート式スチームトラップにおいて、当該フロート式スチームトラップを並列に複数台配置し、少なくとも１つのフロート式スチームトラップの弁口は対応するフロートが全使用圧力範囲に渡って開弁できる大きさに形成し、他のフロート式スチームトラップの弁口は対応するフロートが所定の低い圧力範囲でのみ開弁できる大きさに形成し、それぞれのフロートを密閉フロートで形成したことを特徴とするフロート式スチームトラップにある。
【発明の効果】
【０００６】
本発明は、それぞれのフロート式スチームトラップの弁口をそれぞれ密閉フロートで開閉することにより、簡単な構造で低圧時大容量のフロート式スチームトラップを提供できるという優れた効果を生じる。
【発明を実施するための最良の形態】
【０００７】
本発明のフロート式スチームトラップは、フロート式スチームトラップを並列に複数台配置し、少なくとも１つのフロート式スチームトラップの弁口は対応するフロートが全使用圧力範囲に渡って開弁できる大きさに形成し、他のフロート式スチームトラップの弁口は対応するフロートが所定の低い圧力範囲でのみ開弁できる大きさに形成し、それぞれのフロートを密閉フロートで形成したものであるので、開放バケットフロートを用いた場合の導入管や発射台を不用とすることができ、簡単な構造にすることができる。
【実施例１】
【０００８】
上記の技術的手段の具体例を示す実施例を説明する（図１参照）。フロート式スチームトラップＡは、本体１に蓋２をボルト（図示せず）で締結して弁ケーシングを構成し、内部に復水溜り室３を形成する。復水溜り室３の上部に入口４を開口させ、入口４と同一軸上に出口５を形成する。本体１に弁座取付口８から弁座部材９を挿入し、弁座取付口８を塞ぐプラグ１０で保持する。弁座部材９は復水溜り室３を出口５側に連通する弁口１１を有し、復水溜り室３は弁口１１から出口通路１２を通して出口５に連通する。復水溜り室３内に弁口１１を開閉する密閉中空の球形のフロート１３を自由状態で収容し、弁口１１は対応するフロート１３が全圧力範囲に渡って開弁できる大きさに形成する。本体１の底壁にフロート１３の降下位置を定めるフロート座１４を形成する。
【０００９】
フロート式スチームトラップＢは、本体２１に蓋２２をボルト（図示せず）で締結して弁ケーシングを構成し、内部に復水溜り室２３を形成する。復水溜り室２３の上部に入口２４を開口させ、入口２４と同一軸上に出口２５を形成する。本体２１に弁座取付口２８から弁座部材２９を挿入し、弁座取付口２８を塞ぐプラグ３０で保持する。弁座部材２９は復水溜り室２３を出口２５側に連通する弁口３１を有し、復水溜り室２３は弁口３１から出口通路３２を通して出口２５に連通する。復水溜り室２３内に弁口３１を開閉する密閉中空の球形のフロート３３を自由状態で収容し、弁口３１は対応するフロート３３が所定の低い圧力範囲でのみ開弁できる大きさに形成する。本体３１の底壁にフロート３３の降下位置を定めるフロート座３４を形成する。
【００１０】
入口配管４１を二又に分岐させ、入口配管４１ａにフロート式スチームトラップＡを接続し、入口配管４１ｂにフロート式スチームトラップＢを接続して、入口配管４１にフロート式スチームトラップＡとフロート式スチームトラップＢを並列に配置する。
【００１１】
入口配管４１を流れる復水と蒸気の混合流体は入口配管４１ａと入口配管４２ｂに分流してフロート式スチームトラップＡの入口４から復水溜り室３に流下すると共にフロート式スチームトラップＢの入口２４から復水溜り室２３に流入する。入口配管４１側の圧力が所定値よりも低い場合、復水が流下してくるとフロート式スチームトラップＡのフロート１３は浮上し、弁座部材９から離座して弁口１１を開口し、復水を出口通路１２から出口５へ排出する。また、フロート式スチームトラップＢのフロート３３は浮上し、弁座部材２９から離座して弁口３１を開口し、復水を出口通路３２から出口２５へ排出する。入口配管４１側の圧力が所定値よりも高い場合、フロート式スチームトラップＢのフロート３３は一旦閉弁すると弁口３１前後の圧力差により弁座部材２９から離座できず、閉弁を維持したままである。それに対して、フロート式スチームトラップＡのフロート１３は入口４から復水が流入してくると浮上し、弁座部材９から離座して弁口１１を開口し、復水を出口通路１２から出口５へ排出する。
【図面の簡単な説明】
【００１２】
【図１】本発明のフロート式スチームトラップの断面図。
【符号の説明】
【００１３】
Ａ，Ｂ  フロート式スチームトラップ
１，２１  本体
２，２２  蓋
３，２３  復水溜り室
４，２４  入口
５，２５  出口
９，２９  弁座部材
１１，３１  弁口
１２，３２  出口通路
１３，３３  フロート
４１，４１ａ，４１ｂ  入口配管
【図１】
2007218331.tif 000003